(57)【要約】【課題】配色候補を効率的に得る配色方法およびその方法を用いた配色装置を提供する。【解決手段】仮配色組合せを入力する仮配色組合せ入力部１１と、仮配色組合せの各色区域の情報を得る色区域情報取得部１２と、得た情報に基づいて、第２の配色組合せを作成し、該第２の配色組合せを組合せた仮配色組合せ体を作成し保持する仮配色組合せ体作成格納部１３と、第１の配色組合せとその嗜好度合が示された評価値を保持する第１の配色組合せ情報格納部１４と、仮配色組合せ体に対し、色差の近似する第１の配色組合せを用いて第３の配色組合せを作成する提案配色組合せ作成部１５と、第３の配色組合せの評価値の平均値を取得する評価値取得部１６と、平均値の高い前記第３の配色組合せを配色候補として選定する選定部１７とを含む。【選択図】　　　　図１
2004102561.tif 000002
【特許請求の範囲】
【請求項１】
複数の色区域に配色を行う方法であって、
互いに異なる色を組合せた複数の第１の配色組合せと、該第１の配色組合せに対して予め求めた各評価値とを記憶すること、
各色区域に色を入力すること、
入力した色から第２の配色組合せを作成すること、
第１の配色組合せから第２の配色組合せ毎に色差の近似する配色組合せを複数選択すること、
選択した配色組合せに対応する評価値に基づいて、所定数の配色組合せを選定すること、
選定した各配色組合せにより該所定数の種類の色区域に配色することを特徴とする配色方法。
【請求項２】
互いに異なる色を組合せた複数の第１の配色組合せと、前記第１の配色組合せに対応して嗜好の度合が示された各評価値とを用いて、前記第１の配色組合せより大きな色数であり、かつ前記第１の配色組合せの整数倍の色数の各色区域から成る配色領域に配色を行う方法であって、
前記配色領域の各色区域にそれぞれ異なる色を仮配色するための仮配色組合せを入力すること、
前記仮配色組合せの各色を用いて、前記第１の配色組合せの色数を有し、かつ組合せを重複させずに組合せた複数の第２の配色組合せを作成し、前記各第２の配色組合せを用いて、前記仮配色組合せの各数を有し、かつ重複させずに組合せた複数の仮配色組合せ体を作成すること、
前記各仮配色組合せ体毎に、該仮配色組合せ体に含まれる前記各第２の配色組合せに対し、色差の近似する前記各第１の配色組合せを取得すること、
取得した前記複数の第１の配色組合せのそれぞれを用いて、前記仮配色組合せ体の色数を有し、かつ重複させずに組合せた第３の配色組合せを作成すること、
前記各第３の配色組合せ毎に、該第３の配色組合せの各色を用いて、前記第１の配色組合せの色数を有し、かつ重複させずに組合せた複数の第４の配色組合せを作成し、前記各第４の配色組合せに対応する前記各第１の組合せを判定し、判定した前記各第１の組合せの各評価値を得て、それらの平均値を求めること、
平均値の高い前記第３の配色組合せの各色を、前記色領域の各色区域に配色することを特徴とする配色方法。
【請求項３】
前記第１の配色組合せの取得は、前記各第２の配色組合せに対し、色差の近似する複数の前記第１の配色組合せを取得することを特徴とする請求項２記載の配色方法。
【請求項４】
前記第３の配色組合せの作成は、複数の前記第１の配色組合せに基づいて、複数の第３の配色組合せを作成することを特徴とする請求項２記載の配色方法。
【請求項５】
前記平均値は、色差の近似により取得した前記各第１の配色組合せに対応する前記各第２の配色組合せの各色が示す前記仮配色組合せの前記各色区域のサイズに基づいて各面積因子を算出し、該面積因子を重み付けして求めることを特徴とする請求項２記載の配色方法。
【請求項６】
前記平均値は、色差の近似により取得した前記各第１の配色組合せに対応する前記各第２の配色組合せの各色が示す前記仮配色組合せの前記各色区域の位置に基づいて各距離因子を算出し、該距離因子を重み付けして求めることを特徴とする請求項２記載の配色方法。
【請求項７】
更に、前記した平均値の高い配色組合せ体の各色は、コントラストを得るために所定の明度調整を行うことを特徴とする請求項２記載の配色方法。
【請求項８】
前記明度調整は、前記配色領域の各色区域のサイズと位置と属性とに基づいて行うことを特徴とする請求項７記載の配色方法。
【請求項９】
複数の色区域に配色を行う配色装置において、
互いに異なる色を組合せた複数の第１の配色組合せと、該第１の配色組合せに対して予め求めた各評価値とを記憶する第１の記憶部と、
各色区域に色を入力する入力部と、
入力した色から第２の配色組合せを作成する第２の記憶部と、
第１の配色組合せから第２の配色組合せ毎に色差の近似する配色組合せを複数選択する近似組合せ選択部と、
選択した配色組合せに対応する評価値に基づいて、所定数の配色組合せを選定する選定部と、
選定した各配色組合せにより該所定数の種類の色区域に配色する配色部とを含むことを特徴とする配色装置。
【請求項１０】
互いに異なる色を組合せた複数の第１の配色組合せと、前記第１の配色組合せに対応して嗜好の度合が示された各評価値とを格納する第１の配色組合せ情報格納部からの前記複数の第１の配色組合せおよび前記各評価値を用いて、前記第１の配色組合せより大きな色数であり、かつ前記第１の配色組合せの整数倍の色数の各色区域から成る配色領域に配色を行う配色装置であって、
前記配色領域の各色区域にそれぞれ異なる色を仮配色するための仮配色組合せを入力する仮配色組合せ入力部と、
入力された仮配色組合せの各色区域毎に、該色区域に係る情報を示した色区域情報を取得する色区域情報取得部と、
前記仮配色組合せの各色区域情報を用いて、前記第１の配色組合せの色数を有し、かつ組合せを重複させずに組合せた複数の第２の配色組合せを作成し、前記各第２の配色組合せを用いて、前記仮配色組合せの各色を有し、かつ重複させずに組合せた複数の仮配色組合せ体を作成し保持する仮配色組合せ体作成格納部と、
各仮配色組合せ体毎に、該仮配色組合せ体に含まれる前記各第２の配色組合せに対し、前記第１の配色組合せ情報格納部から色差の近似する前記各第１の配色組合せを取得し、取得した各第１の配色組合せを用いて、前記仮配色組合せ体の色数を有し、かつ重複させずに組合せた第３の配色組合せを提案配色組合せとして作成する提案配色組合せ作成部と、
前記各第３の配色組合せ毎に、該第３の配色組合せの各色を用いて、前記第１の配色組合せの色数を有し、かつ重複させずに組合せた複数の第４の配色組合せを作成し、前記各第４の配色組合せに対応する前記各第１の組合せを判定し、判定した前記各第１の組合せの各評価値を得て、それらの平均値を求める評価値取得部と、
平均値の高い前記第３の配色組合せを選定する選定部と、
選定された前記第３の配色組合せの各色を、前記配色領域の各色区域に配色する色領域配色部とを含む配色装置。
【請求項１１】
前記色区域情報は、色区域のサイズが示されたサイズデータおよび位置が示された位置データを含むことを特徴とする請求項１０記載の配色装置。
【請求項１２】
更に、前記色区域情報は、色区域の属性が示された属性情報を含むことを特徴とする請求項１１記載の配色装置。
【請求項１３】
前記提案配色組合せ作成部は、前記各第２の配色組合せに対し、色差の近似する複数の前記第１の配色組合せを取得することを特徴とする請求項１０記載の配色装置。
【請求項１４】
前記提案配色組合せ作成部は、取得する複数の前記第１の配色組合せに基づいて、複数の第３の配色組合せを作成することを特徴とする請求項１３記載の配色装置。
【請求項１５】
前記評価値取得部は、取得した前記各第１の配色組合せに対応する前記各第２の配色組合せの各色が示す前記仮配色組合せの前記各色区域のサイズに基づいて各面積因子を算出し、該面積因子を重み付けした評価値の平均値を求めることを特徴とする請求項１０記載の配色装置。
【請求項１６】
前記評価値取得部は、取得した前記各第１の配色組合せに対応する前記各第２の配色組合せの各色が示す、前記仮配色組合せの前記各色区域の位置に基づいて各距離因子を算出し、該距離因子を重み付けした評価値の平均値を求めることを特徴とする請求項１０記載の配色装置。
【請求項１７】
更に、配色装置は、前記選定部により選定された第３の配色組合せの各色のコントラストを得るべく、所定の明度調整を行う色調整部を備えることを特徴とする請求項１０記載の配色装置。
【請求項１８】
前記色調整部は、選定された前記第３の配色組合せの各色に対応する前記仮配色組合せの各色区域の各色区域情報に基づいて、明度調整を行うことを特徴とする請求項１７記載の配色装置。
【発明の詳細な説明】
【０００１】
【発明の属する技術分野】
本発明は、複数の色区域から成る配色領域に配色を行う方法に関する。
【０００２】
【従来の技術】
表示装置に表示される例えばグラフ、組織図および構造図などの図表は、複数の色区域から成る。図表の各色区域に互いに異なる色が配色されると、図表を見る者は、図表の示す意味を明確に、かつ容易に理解することができる。
ところで、従来の配色装置を用いて前記した図表を作成するとき、利用者は、例えば、暖色、パステル、モダンおよび鮮やかなど、複数の言葉のキーワードから一つのキーワードを選択する。各キーワードには、予め、複数の色から成る所定の配色候補が関連付けされており、利用者の指定するキーワードに対応して、仮の配色候補が自動的に選定されて表示装置に表示される。表示された仮の配色候補は、利用者により所望の配色であるか否か判定される。仮の配色候補が、利用者の所望する配色であるとき、利用者が最終的に指示することで該配色候補の各色が図表の各色区域に配色される。
【０００３】
【発明が解決しようとする課題】
ところで、前記した従来の配色装置では、表示された仮の配色候補が、利用者の所望する配色と異なるとき、利用者は、所望の配色候補を得るべく、再度他のキーワードを指定して、該キーワードに関連付けられた仮の配色候補を表示装置に表示させて、この仮の配色候補が所望の配色であるか否か再度判定する必要があった。このように利用者は、所望する仮の配色候補を得るまで前記した一連の動作を繰返す必要があるため、所望の配色候補の選定に時間を要していた。
従って、本発明の目的は、配色候補を効率的に得る配色方法およびその方法を用いた配色装置を提供することにある。
【０００４】
【課題を解決するための手段】
本発明は、以上の点を解決するために、次の構成を採用する。
複数の色区域に配色を行う方法であって、互いに異なる色を組合せた複数の第１の配色組合せと、該第１の配色組合せに対して予め求めた各評価値とを記憶すること、各色区域に色を入力すること、入力した色から第２の配色組合せを作成すること、第１の配色組合せから第２の配色組合せ毎に色差の近似する配色組合せを複数選択すること、選択した配色組合せに対応する評価値に基づいて、所定数の配色組合せを選定すること、選定した各配色組合せにより該所定数の種類の色区域に配色することを特徴とする。
【０００５】
互いに異なる色を組合せた複数の第１の配色組合せと、前記第１の配色組合せに対応して嗜好の度合が示された各評価値とを用いて、前記第１の配色組合せより大きな色数であり、かつ前記第１の配色組合せの整数倍の色数の各色区域から成る配色領域に配色を行う方法であって、前記配色領域の各色区域にそれぞれ異なる色を仮配色するための仮配色組合せを入力すること、前記仮配色組合せの各色を用いて、前記第１の配色組合せの色数を有し、かつ組合せを重複させずに組合せた複数の第２の配色組合せを作成し、前記各第２の配色組合せを用いて、前記仮配色組合せの各色を有し、かつ重複させずに組合せた複数の仮配色組合せ体を作成すること、前記各仮配色組合せ体毎に、該仮配色組合せ体に含まれる前記各第２の配色組合せに対し、色差の近似する前記各第１の配色組合せを取得すること、取得した前記複数の第１の配色組合せのそれぞれを用いて、前記仮配色組合せ体の色数を有し、かつ重複させずに組合せた第３の配色組合せを作成すること、前記各第３の配色組合せ毎に、該第３の配色組合せの各色を用いて、前記第１の配色組合せの色数を有し、かつ重複させずに組合せた複数の第４の配色組合せを作成し、前記各第４の配色組合せに対応する前記各第１の組合せを判定し、判定した前記各第１の組合せの各評価値を得て、それらの平均値を求めること、平均値の高い前記第３の配色組合せの各色を、前記色領域の各色区域に配色することを特徴とする。
【０００６】
前記第１の配色組合せの取得は、前記各第２の配色組合せに対し、色差の近似する複数の前記第１の配色組合せを取得することができる。
前記第３の配色組合せの作成は、複数の前記第１の配色組合せに基づいて、複数の第３の配色組合せを作成することができる。
前記平均値は、色差の近似により取得した前記各第１の配色組合せに対応する前記各第２の配色組合せの各色が示す前記仮配色組合せの前記各色区域のサイズに基づいて各面積因子を算出し、該面積因子を重み付けして求めることができる。
【０００７】
前記平均値は、色差の近似により取得した前記各第１の配色組合せに対応する前記各第２の配色組合せの各色が示す前記仮配色組合せの前記各色区域の位置に基づいて各距離因子を算出し、該距離因子を重み付けして求めることができる。
更に、前記した平均値の高い配色組合せ体の各色は、コントラストを得るために所定の明度調整を行うことができる。
前記明度調整は、前記配色領域の各色区域のサイズと位置と属性とに基づいて行うことができる。
【０００８】
複数の色区域に配色を行う配色装置において、互いに異なる色を組合せた複数の第１の配色組合せと、該第１の配色組合せに対して予め求めた各評価値とを記憶する第１の記憶部と、各色区域に色を入力する入力部と、入力した色から第２の配色組合せを作成する第２の記憶部と、第１の配色組合せから第２の配色組合せ毎に色差の近似する配色組合せを複数選択する近似組合せ選択部と、選択した配色組合せに対応する評価値に基づいて、所定数の配色組合せを選定する選定部と、選定した各配色組合せにより該所定数の種類の色区域に配色する配色部とを含むことを特徴とする。
【０００９】
互いに異なる色を組合せた複数の第１の配色組合せと、前記第１の配色組合せに対応して嗜好の度合が示された各評価値とを格納する第１の配色組合せ情報格納部からの前記複数の第１の配色組合せおよび前記各評価値を用いて、前記第１の配色組合せより大きな色数であり、かつ前記第１の配色組合せの整数倍の色数の各色区域から成る配色領域に配色を行う配色装置であって、前記配色領域の各色区域にそれぞれ異なる色を仮配色するための仮配色組合せを入力する仮配色組合せ入力部と、入力された仮配色組合せの各色区域毎に、該色区域に係る情報を示した色区域情報を取得する色区域情報取得部と、前記仮配色組合せの各色区域情報を用いて、前記第１の配色組合せの色数を有し、かつ組合せを重複させずに組合せた複数の第２の配色組合せを作成し、前記各第２の配色組合せを用いて、前記仮配色組合せの各色を有し、かつ重複させずに組合せた複数の仮配色組合せ体を作成し保持する仮配色組合せ体作成格納部と、各仮配色組合せ体毎に、該仮配色組合せ体に含まれる前記各第２の配色組合せに対し、前記第１の配色組合せ情報格納部から色差の近似する前記各第１の配色組合せを取得し、取得した各第１の配色組合せを用いて、前記仮配色組合せ体の色数を有し、かつ重複させずに組合せた第３の配色組合せを提案配色組合せとして作成する提案配色組合せ作成部と、前記各第３の配色組合せ毎に、該第３の配色組合せの各色を用いて、前記第１の配色組合せの色数を有し、かつ重複させずに組合せた複数の第４の配色組合せを作成し、前記各第４の配色組合せに対応する前記各第１の組合せを判定し、判定した前記各第１の組合せの各評価値を得て、それらの平均値を求める評価値取得部と、平均値の高い前記第３の配色組合せを選定する選定部と、選定された前記第３の配色組合せの各色を、前記配色領域の各色区域に配色する色領域配色部とを含むことを特徴とする。
【００１０】
前記色区域情報は、色区域のサイズが示されたサイズデータおよび位置が示された位置データを含むことができる。
更に、前記色区域情報は、色区域の属性が示された属性情報を含むことができる。
前記提案配色組合せ作成部は、前記各第２の配色組合せに対し、色差の近似する複数の前記第１の配色組合せを取得することができる。
前記提案配色組合せ作成部は、取得する複数の前記第１の配色組合せに基づいて、複数の第３の配色組合せを作成することができる。
【００１１】
前記評価値取得部は、取得した前記各第１の配色組合せに対応する前記各第２の配色組合せの各色が示す前記仮配色組合せの前記各色区域のサイズに基づいて各面積因子を算出して、該面積因子を重み付けした評価値の平均値を求めることができる。
前記評価値取得部は、取得した前記各第１の配色組合せに対応する前記各第２の配色組合せの各色が示す、前記仮配色組合せの前記各色区域の位置に基づいて各距離因子を算出して、該距離因子を重み付けした評価値の平均値を求めることができる。
更に、配色装置は、前記選定部により選定された第３の配色組合せの各色のコントラストを得るべく、所定の明度調整を行う色調整部を備えることができる。
前記色調整部は、選定された前記第３の配色組合せの各色に対応する前記仮配色組合せの各色区域の各色区域情報に基づいて、明度調整を行うことができる。
【００１２】
【発明の実施の形態】
〈具体例１〉
以下、本発明の配色装置１０を図に沿って説明する。
本発明の配色装置１０は、図６の表に示す２９組の第１の配色組合せと、該第１の配色組合せに対応する２９組の評価値とを予め保持する。
図６の第１の配色組合せは、互いに異なる所定の２５色＝ｎから、所定の２色＝ｒずつを組合せた下記式１の順列組合せ式により算出される３００組の第１の配色組合せから任意に選定した２９組の第１の配色組合せである。
ｎＣｒ　　　　（式１）
図６のｔ＾（ｌ）は第１の配色組合せの一方の色を、図６のｔ＾（ｒ）は第１の配色組合せの他方の色を、図７で示すようにＲＧＢ表色系でそれぞれ示している。
【００１３】
図６の評価値は、予め行われる評価実験により得た値である。評価実験は、複数の被験者に対して行われ、被験者毎に、前記各第１の配色組合せの嗜好の度合をＳＤ（Ｓｅｍａｎｔｉｃ　Ｄｉｆｆｅｒｅｎｔｉａｌ）法と称される方法により、例えば１を悪い５を良いとして１〜５の５段階評定する。前記した各第１の配色組合せの評定が、系列範疇法と称される手法により尺度化され、この尺度化された値が評価値である。従って、評価値の高い前記第１の配色組合せは、一般的に調和が取れている。
【００１４】
後述する処理において、前記した２９組の第１の配色組合せは、該２９組の第１の配色組合せから、利用者が自由に入力した仮配色組合せに対し色差の近似する第１の配色組合せを選定するときに用いられ、前記した評価値は、選定された前記第１の配色組合せを組合せて利用者に提案すべき複数の配色組合せを作成し、作成した複数の提案配色組合せから、調和の取れた提案配色組合せを選定するときに参照される。
【００１５】
前記した第１の配色組合せおよび評価値を保持する具体例１の配色装置１０のブロック図を図１に示す。
配色装置１０は、利用者により、４個の色区域から成る配色領域に仮配色を行うべく、仮配色組合せを入力するための仮配色組合せ入力部１１と、仮配色組合せ入力部１１で入力された仮配色組合せの各色区域の情報を示す色区域情報を取得し保持する色区域情報取得部１２と、色区域情報取得部１２で取得した各色区域情報に基づいて、色数が２であり、かつ重複することなく組合せた６組の第２の配色組合せを作成し、これらの第２の配色組合せを組合せて、前記仮配色組合せを示す３組の仮配色組合せ体を作成し保持する仮配色組合せ体作成格納部１３と、前記した第１の配色組合せおよび評価値を保持する第１の配色組合せ情報格納部１４と、前記仮配色組合せ体の各第２の配色組合せに対し、色差の近似する各第１の配色組合せを所定の３組ずつ取得し、３組ずつ取得した第１の配色組合せを組合せた３２組の第３の配色組合せを提案配色組合せとして作成する提案配色組合せ作成部１５とを備える。
【００１６】
更に、前記配色装置１０は、前記各第３の配色組合せの評価値の各平均値を取得する評価値取得部１６と、評価値の平均値が高い所定の４組の前記第３の配色組合せを配色候補として選定する選定部１７と、選定部１７で選定された前記第３の配色組合せの各色を、色領域の各色区域に配色し、４個の提案色領域を作成する色領域配色部１８とを備える。
【００１７】
また、配色装置１０は、仮配色組合せ入力部１１の機能を有する第１の記憶部と、色区域情報取得部１２の機能を有する第２の記憶部と、仮配色組合せ体作成格納部１３および提案配色組合せ作成部１５の機能を有する近似組合せ選択部と、第１の配色組合せ情報格納部１４の機能を有する第１の記憶部と、前記した選定部１７に評価値取得部１６の機能を有した選定部と、色領域配色部１８の機能を有する入力部とを備える構成でもよい。
【００１８】
次に本発明の配色装置１０の動作を、数式を交えて説明する。本説明では、ベクトルで示されるパラメーターの表記において、ときにベクトルを示す記号を省略する。その際、ベクトルで示されるパラメーターであることを示すべく、パラメーターの前に「ベクトル」と記述する。
【００１９】
配色装置１０は、図示しない表示装置を備えており、この表示装置に４個の色区域から成る無配色の図表が配色領域として表示される。利用者はこの表示を見ながら、仮配色組合せ入力部１１により、図表の４個の色区域に仮配色を行い、これにより色数が４である仮配色組合せ７０が作成される。
仮配色組合せは、後述する処理において、仮配色組合せの各色を組合せた配色組合せと第１の配色組合せとの色差を算出するために、第１の配色組合せの色数の整数倍の関係にある色数であり、かつ第１の配色組合せの色数より大きな色数である。
【００２０】
利用者により入力された仮配色組合せ７０が図８に示されている。
図８において、カラー配色が施された図を容易に理解すべく、各色に応じた各パターンのハッチングを用いて、互いに異なる色を表現する。このハッチングを用いたカラー配色を示す表現を、以降の図面においても適用する。
仮配色組合せ７０は、鶯色が配色された背景を色区域とする第１番目の色区域７１と、紺色が配色された線を色区域とする第２番目の色区域７２と、渋色が配色され、かつ最も面積の広い矩形を色区域とする第３番目の色区域７３と、緑色が配色され、かつ前記した第３番目の色区域７３以外の矩形を色区域とする第４番目の色区域７４とから成る。
【００２１】
仮配色組合せ７０は、利用者の好みで自由に入力されることから、仮配色組合せ７０を客観的に見たとき、仮配色組合せ７０は調和の取れていない可能性がある。
本発明の配色装置１０は、調和が取れていない仮配色組合せが入力されても、予め用意する複数の第１の配色組合せから、仮配色組合せに近似する複数の第１の配色組合せを選定し、かつ選定した第１の配色組合せを組合せた提案配色組合せから、調和が取れた提案配色組合せを選定することから、仮配色組合せを作成する利用者は、配色センスが無くてもよい。
【００２２】
色区域情報取得部１２は、仮配色組合せ７０の各色区域７１、７２、７３および７４から、下記の式２に示す色区域情報を取得し保持する。式２のベクトルＣ１、ベクトルＣ２、ベクトルＣ３およびベクトルＣ４は、色区域の色をＲＧＢ表色系で示した色データである。ベクトルＰ１、ベクトルＰ２、ベクトルＰ３およびベクトルＰ４は、色区域の位置が示された位置データおよび各色区域のサイズが示されたサイズデータである。
【００２３】
【数１】
2004102561.tif 000003
【００２４】
式２に示されるベクトルＰ３を例に説明する。
ベクトルＰ３は、第３番目の色区域７３の色区域情報の位置データおよびサイズデータを示す。
ベクトルＰ３の各要素は、左から順に、第３番目の色区域７３における左上の角の座標を示す横軸の値、第３番目の色区域７３における左上の角の座標を示す縦軸の値、第３番目の色区域７３の横幅を示す横軸における長さ、第３番目の色区域７３の高さを示す縦軸における長さであり、各要素は、０以上１以下の実数であり、背景を示す第１番目の色区域７１の横軸の座標、色区域７１の縦軸の座標、色区域７１の横幅および色区域７１の高さに対しての比率で示された値である。これらの要素は、後述する面積因子および距離因子の算出に用いられる。
【００２５】
前記した色区域情報を下記の式３で示す。式３に示されるｉ（ｉ＝１，２，３，４）は、各色区域の番号を示す。
式３のベクトルＣｉは、次式に示す（Ｒｉ，Ｇｉ，Ｂｉ）であり、ｉ番目の色区域の色をＲＧＢ表色系で示した色データである。式３のベクトルＰｉは、ｉ番目の色区域のサイズデータおよび位置データであり、該サイズデータおよび位置データの詳細を下記の式４で示し、式４の各要素を図９で示す。
【数２】
2004102561.tif 000004
式４の各要素説明は、前記した式２のベクトルＰ３の各要素と同様に、左から順に色区域の左上角の横軸の座標値、色区域の左上角の縦軸の座標値、色区域の横幅、色区域の高さを示す。
【００２６】
仮配色組合せ体作成格納部１３は、色区域情報取得部１２で取得した各色区域の各色域情報に含まれる色データに基づいて、色数が２であり、かつ重複することなく組合せた６組の第２の配色組合せを作成する。前記第２の配色組合せの色数は、後述する前記第１の配色組合せと色差を算出するために、前記第１の配色組合せの色数と等しい。
更に、仮配色組合せ体作成格納部１３は、前記各第２の配色組合せを用いて、前記仮配色組合せ７０の各色を有し、かつ重複させずに組合せた３組の仮配色組合せ体を重複することなく作成し保持する。このとき仮配色組合せ体作成格納部１３は、仮配色組合せ体の各色に対応する前記仮配色組合せの各色区域の位置データおよびサイズデータを保持する。
【００２７】
前記した仮配色組合せ７０と仮配色組合せ体との関係を図１０に示す。図１０に示されるベクトルＣ１、ベクトルＣ２、ベクトルＣ３およびベクトルＣ４は、それぞれ仮配色組合せ７０の各色区域７１、７２、７３および７４の色を示す。
本具体例においては、仮配色組合せ７０の色数（色区域の数）が４であり、第２の配色組合せの色数が２であることから、図１０に示されるように、ベクトルＣ１およびベクトルＣ２と、ベクトルＣ３およびベクトルＣ４と、ベクトルＣ１およびベクトルＣ３と、ベクトルＣ２およびベクトルＣ４と、ベクトルＣ１およびベクトルＣ４と、ベクトルＣ２およびベクトルＣ３とで示される６組の第２の配色組合せが作成される。これら６組の前記第２の配色組合せから、２組の前記第２の配色組合せが重複することなく組み合わされ、かつその組合せで前記仮配色組合せの各色を有する３組の仮配色組合せ体が作成される。つまりは、２組の第２の配色組合せから成る仮配色組合せ体が、３組作成される。
【００２８】
作成される３組の仮配色組合せ体は、前記第１の配色組合せの各色を有するが、３組の仮配色組合せ体を構成する各第２の配色組合せは重複しないことから、３組の仮配色組合せ体は、仮配色組合せの各色を漏れなく組合せた配色組合せである。
【００２９】
第１の配色組合せ情報格納部１４は、予め用意した２９組の第１の配色組合せとそれらに対応する各評価値とを保持する。
第１の配色組合せ情報格納部１４が保持する第１の配色組合せを下記の式５で示す。第１の配色組合せ情報格納部１４が保持する評価値は｛ｑｉ：ｉ＝１，・・・，ｎｔ｝で示される。本具体例においては、式５に示されるｎｔおよび｛ｑｉ：ｉ＝１，・・・，ｎｔ｝に示されるｎｔは、所定の数値２９である。
【数３】
2004102561.tif 000005
【００３０】
提案配色組合せ作成部１５は、仮配色組合せ体作成格納部１３で保持する各仮配色組合せ体毎に、該組合せ体を構成する２組の第２の配色組合せのそれぞれに対し、色差の近似する所定の３組の前記第１の配色組合せをそれぞれ取得し、各第２の配色組合せ毎に取得した３組の第１の配色組合せを、互いに組合せて色数が４である３２組の第３の配色組合せを、利用者に提案すべき配色組合せとして作成する。
【００３１】
前記した提案配色組合せ作成部１５を更に詳細に説明する。
図２は、仮配色組合せ体毎に、第３の配色組合せを作成する提案配色組合せ作成部１５を詳細に示すブロック図である。
図２に示される提案配色組合せ作成部１５は、作成格納部１３からの仮配色組合せ体を受けると、該仮配色組合せを構成する一方の第２の配色組合せを保持する第１組の第２の配色組合せ格納部２２と、他方の第２の配色組合せを保持する第２組の第２の配色組合せ格納部２３と、前記第２の配色組合せに対し、色差の近似する所定の３組の第１の配色組合せを選定する近似第１の配色組合せ選定部２４と、該近似第１の配色組合せ選定部２４で選定された第１の配色組合せを組合せて３２組の前記第３の配色組合せ作成する第３の配色組合せ作成部２５と、該第３の配色組合せ作成部２５で作成した３２組の第３の配色組合せを保持する第３の配色組合せ格納部２６とを備える。
【００３２】
本具体例においては、仮配色組合せ体を構成する２組の第２の配色組合せを保持するための第１組の第２の配色組合せ格納部２２および第２組の第２の配色組合せ格納部２３を必要としたが、これらの格納部２２および２３は、保持すべき第２の配色組合せの数に対応して、適宜設ける必要がある。
【００３３】
近似第１の配色組合せ選定部２４は、仮配色組合せ体毎に格納した第１組の第２の配色組合せ格納部２２、もしくは第２組の第２の配色組合せ格納部２３から、前記第２の配色組合せを受けると、該第２の配色組合せに対し、色差の近似する所定の３組＝ｍの前記第１の配色組合せを、第１の配色組合せ情報格納部１４から選定する。
【００３４】
第３の配色組合せ作成部２５は、近似第１の配色組合せ選定部２４から仮配色組合せ体を構成する２組の第２の配色組合せ毎に、それぞれ選定された３組の前記第１の配色組合せを受けると、互いの３組＝ｍの第１の配色組合せを組合せて、前記仮配色組合せ７０と同じ色数の式６で示される第３の配色組合せを、利用者に提供すべき配色組合せとして作成する。式６のベクトルｄ１ｊ、ベクトルｄ２ｊ、ベクトルｄ３ｊおよびベクトルｄ４ｊのそれぞれは、前記各第３の配色組合せの各色を示し、この式６のｊは、ｊ番目の第３の配色組合せを示す。
【００３５】
更に、式６で示されるベクトルｄの詳細を式７に示す。この式７に示されたｊはｊ番目の第３の配色組合せであり、式７に示されたｉは該第３の配色組合せにおけるｉ番目の色である。
【数４】
2004102561.tif 000006
【００３６】
前記した第３の配色組合せは、前記仮配色組合せ７０の各色を組合せて作成される前記各第２の配色組合せに対し、色差の近似する前記各第１の配色組合せを取得し、これら第１の配色組合せを組合せて作成することから、前記各第３の配色組合せは、仮配色組合せの配色を反映した配色組合せである。
【００３７】
第３の配色組合せ作成部２５は、仮配色組合せ体毎に、式６で示すｍ２＝３２組の第３の配色組合せを作成することから、全ての仮配色組合せ体においては、下記の式８に示す第３の配色組合せを作成する。後述する処理により、これらの第３の配色組合せから、調和の取れた第３の配色組合せが選定される。
【数５】
2004102561.tif 000007
【００３８】
第３の配色組合せ格納部２６は、第３の配色組合せ作成部２５で作成した式１６で示される第３の配色組合せを保持する。
【００３９】
前記した近似第１の配色組合せ選定部２４を更に詳細に説明する。
図３は、第２の配色組合せ体毎に、前記第１の配色組合せを選定する近似第１の配色組合せ選定部２４を詳細に示すブロック図である。
【００４０】
図３の近似第１の配色組合せ選定部２４は、仮配色組合せ体毎に保持する第１組の第２の配色組合せ格納部２２および第２組の第２の配色組合せ格納部２３からの第２の配色組合せの各色がＲＧＢ表色系で示された色データと、第１の配色組合せ情報格納部１４からの各第１の配色組合せの各色がＲＧＢ表色系で示された色データとを、ＣＩＥＬＡＢ均等色空間でのＬ＊，ａ＊，ｂ＊値に変換するＬａｂ変換部３１と、該Ｌａｂ変換部３１で変換されたＬ＊，ａ＊，ｂ＊値で示される各第２の配色組合せと、Ｌ＊，ａ＊，ｂ＊値で示される各第１の配色組合せとの色差を算出する色差算出部３２と、算出した色差に基づいて、前記第２の配色組合せに対し、色差の小さい順にｍ個の第１の配色組合せを、複数の第１の配色組合せから選定し、選定した第１の配色組合せを保持する第１の配色組合せ選定格納部３３とを備える。
【００４１】
Ｌａｂ変換部３１は、第２の配色組合せ格納部２２および２３からのそれぞれの第２の配色組合せがＲＧＢ表色系で示された色データと、第１の配色組合せ情報格納部１４からの第１の配色組合せがＲＧＢ表色系で示された色データとを、従来から知られた式９を用いて、ＣＩＥＸＹＺ表色系に変換する。
【００４２】
Ｌａｂ変換部３１は、その後、Ｄ６５標準光源と称される白色点におけるＣＩＥＸＹＺ値をＸｗ，Ｙｗ，Ｚｗとすると、従来から知られた式１０を用いてＣＩＥＬＡＢ均等色空間でのＬ＊，ａ＊，ｂ＊値に変換する。
【００４３】
下記の式１１は、第２の配色組合せの一方の色と他方の色とがＬａｂ変換部３１によりＬ＊，ａ＊，ｂ＊表色系に変換された結果を示す。
下記の式１２は、ｉ番目の第１の配色組合せの一方の色と他方の色とがＬａｂ変換部３１によりＬ＊，ａ＊，ｂ＊表色系に変換された結果を示す。
【００４４】
色差算出部３２は、式１１で示されるＬ＊，ａ＊，ｂ＊値の第２の配色組合せと、式１２で示されるＬ＊，ａ＊，ｂ＊値の第１の配色組合せとをＬａｂ変換部３１から受けると、従来から知られる下記の式１３を用いて色差を算出する。
色差算出部３２は、各第２の配色組合せ毎に、該第２の配色組合せと全ての第１の配色組合せＮｏ．ｉ（ｉ＝１，…，ｎｔ）との色差を算出する。
【数６】
2004102561.tif 000008
【００４５】
第１の配色組合せ選定格納部３３は、色差算出部３２で算出した色差に基づいて、色差の小さい順に所定の３組の第１の配色組合せを選定する。つまりは第２の配色組合せに対し、色差の近似する順に３組の第１の配色組合せが選定される。
第１の配色組合せ選定格納部３３は、第２の配色組合せ毎に選定した３組の第１の配色組合せを保持する。２組の第２の配色組合せで構成する前記仮配色組合せ体毎においては、３２組の第１の配色組合せを保持する。
【００４６】
前記したように第３の配色組合せ作成部２５は、前記仮配色組合せ体毎に、前記仮配色組合せ７０の各色に基づいて作成された２組の第２の配色組合せに対し、それぞれ色差の近似する３組の第１の配色組合せを選定し、選定した３組の第１の配色組合せを互いに組合せて、前記仮配色組合せ７０と同じ色数の３２組の第３の配色組合せを作成することから、第３の配色組合せは、前記仮配色組合せ７０に対し、色差の近似により置換した２組の第１の配色組合せの組合せである。
後述する図１の評価値取得部１６において、第３の配色組合せの評価値の平均値を求めるとき、第３の配色組合せを構成する２組の第１の配色組合せと置換の関係にある前記仮配色組合せ７０の各色区域７１、７２、７３および７４の位置データおよびサイズデータが参照される。
【００４７】
図１の評価値取得部１６は、仮配色組合せ体毎に提案配色組合せ作成部１５で作成された３２組の前記第３の配色候補から、評価値の高い第３の配色候補を選定するために、各第３の配色組合せ毎に、該第３の配色組合せの４色＝ｎの各色を、２色＝ｒずつ組合せた複数の第４の配色組合せを作成する。該第４の配色組合せの総数は、６組であり式１の順列組合せ式で示される。更に評価値取得部１６は、前記各第４の配色組合せに対応する前記第１の配色組合せを判定し、判定した前記各第１の配色組合せに対応する各評価値を第１の配色組合せ情報格納部１４から得て、それらの平均値を求める。この平均値は、第３の配色組合せの各色毎に、その色差の近似する前記仮配色組合せ７０の各色領域毎の前記サイズデータと、位置データとを考慮して算出される。
【００４８】
更に、前記した評価値取得部１６を詳細に説明する。
図４は、第３の配色組合せ毎に、該第３の評価値の平均値を算出する評価値取得部１６を詳細に示すブロック図である。
【００４９】
図４の評価値取得部１６は、提案配色組合せ作成部１５からの第３の配色組合せ毎に、該第３の配色組合せの各色に基づいて複数の第４の配色組合せを作成する第４の配色組合せ作成部４１と、作成された各第４の配色組合せをそれぞれ保持する第４の配色組合せ格納部４５、４６および４７と、前記第３の配色組合せの各色に対応する仮配色組合せ７０の各色区域７１、７２、７３および７４のサイズデータおよび位置データを保持するサイズ・位置データ保持部４２と、各第４の配色組合せ毎に、該第４の配色組合せの各色に対応する色差算出部３２で保持するサイズデータおよび位置データに基づく面積因子および距離因子を算出し、かつ第４の配色組合せに対応する評価値を第１の配色組合せ情報格納部１４より選定する径数取得部４３と、評価値の高い第３の配色組合せを得るべく、径数取得部４３で取得する各第４の配色組合せの各径数に基づいて、前記各第４の配色組合せの評価値を求め、それらの平均値を、第３の配色組合せの評価値の平均値として算出する平均値算出部４４とを備える。
【００５０】
第４の配色組合せ作成部４１は、各第３の配色組合せ毎に、色数が４である第３の配色組合せの各色から２色ずつ組合せた第４の配色組合せを６組作成する。
前記した第３の配色組合せと第４の配色組合せとの関係を図１１に示す。図１１には、第３の配色組合せの各色を示すベクトルｄ１、ベクトルｄ２、ベクトルｄ３およびベクトルｄ４を組合せた、６組の第４の配色組合せが示されている。後述する処理で第３の配色組合せの評価値の平均値を算出するために、該第３の配色組合せの各色を組合せた６組の第４の配色組合せが作成される。
【００５１】
第４の配色組合せ格納部４５、４６および４７は、前記した各第４の配色組合せをそれぞれ格納する。図４では、簡単のため第４の配色組合せ格納部４５、４６および４７のみを示したが、６組の第４の配色組合せに対応して６組の第４の配色組合せ格納部を設ける必要がある。
【００５２】
サイズ・位置データ保持部４２は、仮配色組合せ７０の各色区域７１、７２、７３および７４の位置データおよびサイズデータを保持する仮配色組合せ体作成格納部１３から、第３の配色組合せを構成する２組の第１の配色組合せの各色に対し、前記した置換の関係にある仮配色組合せ７０の各色区域７１、７２、７３および７４のサイズデータおよび位置データを取得し、２組の第１の配色組合せの各色に対応させてこれらのデータを保持する。
【００５３】
径数取得部４３は、第４の配色組合せ作成部４１により前記第３の配色組合せの各色を組合せた各第４の配色組合せ毎に、該第４の配色組合せの各色つまりは、色差の近似する仮配色組合せ７０の各色区域７１、７２、７３および７４の色に対応するサイズデータおよび位置データをサイズ・位置データ保持部４２より取得する。更に、径数取得部４３は、第４の配色組合せに対応する前記第１の配色組合せを判定し、判定した前記第１の配色組合せの評価値を、第１の配色組合せ情報格納部１４より取得する。
取得したこれらのデータに基づいて、後述する面積因子および距離因子が径数として算出され、該径数を用いて第３の配色組合せの評価値の平均値が算出される。
【００５４】
平均値算出部４４は、径数取得部４３から前記第３の配色組合せの各色を組合せた６組の各第４の配色組合せに対応する前記各径数を受けると、第３の配色組合せ毎に、前記各第４の配色組合せの各評価値に、該第４の配色組合せに対応する面積因子および距離因子を重み付けした６個の評価値を求め、それらの評価値の平均値を算出する。
後述する処理により、算出した評価値の平均値に基づいて、評価値の平均値が高い第３の配色組合せが選定される。
【００５５】
前記した径数取得部４３を詳細に説明する。
図５は、第４の配色組合せ毎に、径数を取得する径数取得部４３を詳細に示すブロック図である。
径数取得部４３は、第４の配色組合せに対応する前記第１の配色組合せの評価値を取得する第４の配色組合せ評価値取得部５１と、前記第４の配色組合せの各色と置換の関係にある仮配色組合せ７０の各色区域７１、７２、７３および７４の各サイズデータに基づいて面積因子を算出する面積因子算出部５２と、前記第４の配色組合せの各色と置換の関係にある仮配色組合せ７０の各色区域７１、７２、７３および７４の位置を示す各位置データに基づいて、距離因子を算出する距離因子算出部５３と、前記評価値、前記面積因子および前記距離因子を径数として保持する径数保持部５４とを備える。
【００５６】
第４の配色組合せ評価値取得部５１は、第４の配色組合せ格納部から第４の配色組合せを受けると、該第四の配色組合せに対応する第１の配色組合せを判定する。この判定により、第１の配色組合せ情報格納部１４で保持される２９組の第１の配色組合せから、第４の配色組合せと合致する第１の配色組合せが選定される。前記した判定において、第４の配色組合せと合致する第１の配色組合せが存在しないとき、該第４の配色組合せは破棄され、該第４の配色組合せを除いて評価値の平均値が算出される。
【００５７】
面積因子算出部５２は、サイズ・位置データ保持部４２から、前記第４の配色組合せの各色に対応する仮配色組合せ７０の各色区域７１、７２、７３および７４の各サイズデータを受けると、該各サイズデータに基づいて、従来から知られる下記の式１４用いて面積因子を算出する。式１４に示されるＳＬＡＲＧＥは、面積の広い色区域の面積データであり、ＳＳＭＡＬＬ
は、他方の色区域の面積データである。尚、式１４に示された指数ｎａは、正の実数であり、評価実験により決定される。本具体例では、ｎａ＝０．３３として、面積因子を算出する。
【００５８】
距離因子算出部５３は、サイズ・位置データ保持部４２から、前記第４の配色組合せの各色に対応する仮配色組合せ７０の各色区域７１、７２、７３および７４の各位置データを受けると、該各位置データに基づいて、従来から知られる下記の式１５を用いて距離因子を算出する。式１５に示されるｒは、前記各位置データに基づいて算出した各色区域間の距離であり、式１５に示された指数ｎｄは、正の実数であり、従来から知られた評価実験により決定される。本具体例では、ｎｄ＝１．００として、距離因子を算出する。
【数７】
2004102561.tif 000009
【００５９】
径数保持部５４は、第４の配色組合せ評価値取得部５１で取得する評価値と、面積因子算出部５２で算出する面積因子と、距離因子算出部５３で算出する距離因子とを径数として保持する。
径数保持部５４で保持する径数が、図４の平均値算出部４４で用いられる。
【００６０】
図４の平均値算出部４４は、径数保持部５４から式１６で示される各第４の配色組合せの各径数を受けると、該径数を下記の式１７に代入して、各第４の配色組合せの各評価値に該第４の配色組合せに対応する面積因子および距離因子を重み付けした評価値の平均値Ｑｊを算出する。式１６および式１７の示すｋは、各第４の配色組合せを示し、式１７のｊは、ｊ番目の第３の配色組合せを示す。
評価値の平均値Ｑｊは、評価値の距離因子および面積因子を重み付けした評価値の平均値であることから、各色区域の配色の調和に加えて、各色区域の面積および各色区域間の距離を考慮した評価値の平均値である。
【００６１】
図１の選定部１７は、平均値算出部４４で算出した下記の式１８で示される第３の配色組合せの評価値の平均値に基づいて、評価値の平均値の高い順に、所定の４組＝Ｎの第３の配色組合せを自動的に選定する。
この選定された前記第３の配色組合せは、利用者が自由に配色した仮配色組合せ７０を反映したものであり、かつ調和の取れた配色組合せである。
【数８】
2004102561.tif 000010
【００６２】
色領域配色部１８は、選定された４個の前記第３の配色組合せを受けると、各第３の配色組合せ毎に、該第３の配色組合せの各色を、配色領域の各色区域に配色して図１２に示される第１の提案配色図表７１０、図１３に示される第２の提案配色図表７２０、図１４に示される第３の提案配色図表７３０、図１５に示される第４の提案配色図表７４０を作成する。
【００６３】
第１の提案配色図表７１０は、黄色が配色された背景を色区域とする第１番目の色区域７１１と、青色が配色された線を色区域とする第２番目の色区域７１２と、萌葱色が配色され、かつ最も面積の広い矩形を色区域とする第３番目の色区域７１３と、青緑色が配色され、かつ前記した第３番目の色区域７１３以外の矩形を色区域とする第４番目の色区域７１４とから成り、各色区域の色がＲＧＢ表色系により式１９にて示される。
【００６４】
第２の提案配色図表７２０は、萌葱色が配色された背景を色区域とする第１番目の色区域７２１と、青色が配色された線を色区域とする第２番目の色区域７２２と、黄色が配色され、かつ最も面積の広い矩形を色区域とする第３番目の色区域７２３と、青緑色が配色され、かつ前記した第３番目の色区域７２３以外の矩形を色区域とする第４番目の色区域７２４とから成り、各色区域の色がＲＧＢ表色系により式２０にて示される。
【００６５】
第３の提案配色図表７３０は、萌葱色が配色された背景を色区域とする第１番目の色区域７３１と、薄い青色が配色された線を色区域とする第２番目の色区域７３２と、黄色が配色され、かつ最も面積の広い矩形を色区域とする第３番目の色区域７３３と、浅葱色が配色され、かつ前記した第３番目の色区域７３３以外の矩形を色区域とする第４番目の色区域７３４とから成り、各色区域の色がＲＧＢ表色系により式２１にて示される。
【００６６】
第４の提案配色図表７４０は、黄色が配色された背景を色区域とする第１番目の色区域７４１と、薄い青色が配色された線を色区域とする第２番目の色区域７４２と、萌葱色が配色され、かつ最も面積の広い矩形を色区域とする第３番目の色区域７４３と、浅葱色が配色され、かつ前記した第３番目の色区域７４３以外の矩形を色区域とする第４番目の色区域７４４とから成り、各色区域の色がＲＧＢ表色系により式２２にて示される。
【数９】
2004102561.tif 000011
【００６７】
互いに異なる色を組合せた複数の第１の配色組合せと、該各第１の配色組合せに対応し、複数の被験者の嗜好の度合が尺度化された各評価値を予め保持する本発明の配色装置１０は、配色領域の各色区域に互いに異なる色を仮配色すべく、利用者の好みで自由に入力された仮配色組合せ７０に対し、色差の近似する前記各第１の配色組合せを組合せた第３の配色組合せを複数選定し、選定した各第３の配色組合せ毎に、該第３の配色組合せの各色に近似する仮配色組合せの各色区域における面積因子および距離因子を重み付けした評価値の平均値を算出し、平均値の高い第３の配色組合せを配色候補として選定し、選定した第３の配色組合せの各色に基づいて、色領域の各色区域に配色した提案配色図表を自動的に作成することから、本発明の配色装置１０は利用者の嗜好が反映され、かつ調和の取れた提案配色図表を自動的に作成することができる。従って、本発明の配色装置１０は、利用者の所望する提案配色図表を短時間に得ることができる。
更に、本発明の配色装置１０によれば、利用者に提案すべき多くの配色組合せを予め用意せずとも、たった２９組の配色組合せに基づいて利用者の嗜好が反映され、かつ調和の取れた提案配色図表を自動的に作成することができる。
【００６８】
〈具体例２〉
前記した具体例１では利用者の嗜好を反映し、かつ各色区域の調和が取れた配色領域を自動的に作成する例を示したが、具体例２では、前記した具体例１で作成される配色領域に対し、各色区域に所定の明度調整を行った配色領域を作成する例を示す。具体例２における配色領域は、例えば背景区域、文章区域および図表区域などの各色区域から成るスライドであり、それぞれの色区域は、例えば背景、文章および図表などのカテゴリーと称される属性により区分される。
【００６９】
図１６は、本発明に係る具体例２の配色装置８０のブロック図である。配色装置８０は、前記した具体例１と同じ図６の表に示す２９組の第１の配色組合せと２９組の評価値とを予め保持する。
配色装置８０は、利用者により、４個の色区域から成るスライドに仮配色を行うべく、仮配色組合せを入力するための仮配色組合せ入力部１１と、仮配色組合せ入力部１１で入力された仮配色組合せの各色区域の色データ、サイズデータおよび位置データと各色区域の属性を示した属性情報とを色区域情報として取得する色区域情報取得部１２と、色区域情報取得部１２で取得した各色区域毎の情報に基づいて、色数が２であり、かつ重複することなく組合せた６組の第２の配色組合せを作成し、これらの第２の配色組合せを組合せて、前記仮配色組合せを示す３組の仮配色組合せ体を作成し保持する仮配色組合せ体作成格納部１３と、前記した具体例１で用いた２９組の第１の配色組合せおよび２９組の評価値を保持する第１の配色組合せ情報格納部１４と、前記仮配色組合せ体の各第２の配色組合せに対し、色差の近似する各第１の配色組合せを所定の３組ずつ取得し、３組ずつ取得した第１の配色組合せを組合せた３２組の第３の配色組合せを提案配色組合せとして作成する提案配色組合せ作成部１５とを備える。
【００７０】
更に、前記配色装置８０は、前記各第３の配色組合せの評価値の各平均値を取得する評価値取得部１６と、評価値の平均値が高い所定の４組の前記第３の配色組合せを配色候補として選定する選定部１７と、選定された第３の配色組合せの各色を前記色区域情報に基づいて、所定の明度調整を行う色調整部８１と、色調整部８１で調整された前記第３の配色組合せの各色を、色領域の各色区域に配色し、４個の提案色領域を作成する色領域配色部１８とを備える。
【００７１】
次に、具体例１の動作と異なる仮配色組合せ入力部１１、色区域情報取得部１２、仮配色組合せ体作成格納部１３および色調整部８１を中心に説明する。
配色装置８０は、図示しない表示装置を備えており、この表示装置に、背景区域、文章区域および図表区域などの各色区域から成る無配色のスライドが表示される。利用者はこの表示を見ながら、仮配色組合せ入力部１１により、スライドの４個の色区域に仮配色を行い、これにより色数が４である仮配色組合せ９０が作成される。
仮配色組合せ９０は、前記した具体例１と同様に、第１の配色組合せの色数の整数倍の関係にある色数であり、かつ第１の配色組合せの色数より大きな色数である。
【００７２】
利用者により入力された仮配色組合せ９０が図１７に示されている。
仮配色組合せ９０は、青色で配色された背景を色区域とする第１番目の色区域９１と、水色で配色された矩形の背景を配色区域とする第２番目の色区域９２と、該色区域９２を背景に黄色で「配色支援決定方法のテスト」と記述された文章を色区域とする第３番目の色区域９３と、前記第１番目の色区域９１を背景に白色で「○×太郎」と記述された文章を色区域とする第４番目の色区域７４とから成る。
【００７３】
本発明の配色装置８０は、前記した具体例１と同様に調和が取れていない仮配色組合せが入力されても、予め用意する複数の第１の配色組合せから、仮配色組合せに近似する複数の第１の配色組合せを選定し、かつ選定した第１の配色組合せを組合せた提案配色組合せから、調和が取れた提案配色組合せを選定することから、仮配色組合せ９０を入力する利用者は、配色センスが無くてもよい。
【００７４】
色区域情報取得部１２は、仮配色組合せ９０の各色区域９１、９２、９３および９４から、各色区域毎に、色区域の色がＲＧＢ表色系で示された色データ、色区域のサイズが示されたサイズデータおよび色区域の位置が示された位置データと、色区域の属性を示す属性情報とから成る下記の式２３に示す色区域情報を取得し保持する。
【数１０】
2004102561.tif 000012
【００７５】
式２３が示すベクトルＣ１、ベクトルＣ２、ベクトルＣ３およびベクトルＣ４は、前記した具体例１と同様に各色区域９１、９２、９３および９４の各色をＲＧＢ表色系で示した色データである。ベクトルＰ１、ベクトルＰ２、ベクトルＰ３およびベクトルＰ４は、前記した具体例１と同様に各色区域９１、９２、９３および９４の位置が示された位置データおよび各色区域９１、９２、９３および９４のサイズが示されたサイズデータである。
【００７６】
更に、式２３が示す（ｔｙｐｅ）１＝１および（ｔｙｐｅ）２＝１は、色区域９１および９２の属性が背景であることを所定の数値１で示した属性情報であり、（ｔｙｐｅ）３＝４および（ｔｙｐｅ）４＝４は、色区域９３および９４の属性が文章であることを所定の数値４で示した属性情報である。
これらの属性情報は、後述する処理で作成した提案配色組合せに対し所定の明度調整を行うときに参照される。
【００７７】
前記した色区域情報を下記の式２４で示す。式２４に示されるｉ（ｉ＝１，２，３，４）は、各色区域の番号であり、ベクトルＣｉは、ｉ番目の色区域の色をＲＧＢ表色系で示した色データである。更に、式２４に示されるベクトルＰｉは、ｉ番目の色区域の位置データおよびサイズデータであり、（ｔｙｐｅ）ｉは、ｉ番目の色区域の属性を示した属性情報である。
【数１１】
2004102561.tif 000013
【００７８】
仮配色組合せ体作成格納部１３は、前記した具体例１と同様に、色区域情報取得部１２で取得した各色区域の各色域情報に含まれる色データに基づいて、色数が２であり、かつ重複することなく組合せた６組の第２の配色組合せを作成し、前記各第２の配色組合せを用いて、前記仮配色組合せの各色を有し、かつ重複させずに組合せた３組の仮配色組合せ体を重複することなく作成し保持する。
更に、仮配色組合せ体作成格納部１３は、仮配色組合せ体の各色に対応する仮配色組合せ９０の各色区域９１、９２、９３および９４の位置データとサイズデータと属性情報とを保持する。
【００７９】
第１の配色組合せ情報格納部１４、提案配色組合せ作成部１５、評価値取得部１６および選定部１７は、前記した具体例１と同様な処理を行うことから、それらの説明は省略する。
【００８０】
色調整部８１は、選定部１７により選定された４組の第３の配色組合せと、仮配色組合せ体作成格納部１３から各色区域９１、９２、９３および９４の各色区域情報とを受けると、各第３の配色組合せ毎に、該色区域情報に基づいて該第３の配色組合せの各色に色調整を行う。この色調整は、第３の配色組合せの各色と置換の関係にある仮配色組合せ９０の各色区域色９１、９２、９３および９４の各色区域情報に含まれる位置情報とサイズ情報と属性情報とに基づいて行われる。
【００８１】
例えば、第３の配色組合せのある２色に対し、それぞれ置換の関係にある仮配色組合せ９０の色区域が色区域９１および色区域９４とし、色区域９１および色区域９４に対して行う色調整を説明する。
色調整部８１は、式２３に示される色区域９１の位置データおよびサイズデータと、色区域９４の位置データおよびサイズデータとに基づいて、色区域９１が色区域９４より面積が広くかつ色区域９４を含むか、色区域９４が色区域９１より面積が広くかつ色区域９１を含むか又は前記した何れでも無いかを判定する。本具体例においては、色区域９１は色区域９４より面積が広くかつ色区域９４を含むことが判明する。
【００８２】
更に、色調整部８１は、式２３に示される色区域９１の属性情報と、色区域９１の属性情報とに基づいて、色区域９１を含む色区域９４の属性が背景であり、色区域９１に含まれる色区域９４の属性が文章であるか否かを判定する。この判定により、色区域９１の属性が背景でありかつ色区域９４の属性が文章であることが判明する。
色調整部８１は、色区域９１および色区域９４が前記した関係にあるとき、これらの色区域に対応する第３の配色組合せの各色に、従来から知られた式２５および式２６を用いて所定の明度調整を行う。この明度調整は、前記した各色区域間での明度差が最低でも２０となるようにすることが好ましい。
式２５に示されたＬ２は調整後のＬ値であり、ａ１は明度調整前のａ＊値であり、ｂ１は明度調整前のｂ＊値である。
式２６に示されたＲ２，Ｇ２，Ｂ２は、変換後のＲＧＢ表色系のＲＧＢ値である。
前記した明度調整を行うことにより、属性が背景である色区域９１に含まれる属性が文章である色区域９４を際立たせることができる。
【数１２】
2004102561.tif 000014
【００８３】
色領域配色部１８は、色調整部８１で明度調整された４組の第３の配色組合せを受けると、各第３の配色組合せ毎に、該第３の配色組合せの各色を、配色領域の各色区域に配色して図１８に示される第１の提案配色スライド９１０、図１９に示される第２の提案配色スライド９２０、図２０に示される第３の提案配色スライド９３０および図２１に示される第４の提案配色スライド９４０を作成する。
【００８４】
第１の提案配色スライド９１０は、薄い青色で配色された背景を色区域とする第１番目の色区域９１１と、淡い水色で配色された矩形の背景を色区域とする第２番目の色区域９１２と、該色区域９１２を背景に淡い黄色で「配色支援決定方法のテスト」と記述された文章を色区域とする第３番目の色区域９１３と、前記１番目の色区域９１１を背景に山吹色で「○×太郎」と記述された文章を色区域とする第４番目の色区域９１４とから成り、各色区域の色がＲＧＢ表色系により式２７にて示される。
【００８５】
第２の提案配色スライド９２０は、青紫色で配色された背景を色区域とする第１番目の色区域９２１と、薄い水色で配色された矩形の背景を色区域とする第２番目の色区域９２２と、該色区域９２２を背景に淡い黄色で「配色支援決定方法のテスト」と記述された文章を色区域とする第３番目の色区域９２３と、前記１番目の色区域９２１を背景に山吹色で「○×太郎」と記述された文章を色区域とする第４番目の色区域９２４とから成り、各色区域の色がＲＧＢ表色系により式２８にて示される。
【００８６】
第３の提案配色スライド９３０は、深緑色で配色された背景を色区域とする第１番目の色区域９３１と、薄い水色で配色された矩形の背景を色区域とする第２番目の色区域９３２と、該色区域９３２を背景に黄金色で「配色支援決定方法のテスト」と記述された文章を色区域とする第３番目の色区域９３３と、前記１番目の色区域９３１を背景に青みのある白色で「○×太郎」と記述された文章を色区域とする第４番目の色区域９３４とから成り、各色区域の色がＲＧＢ表色系により式２９にて示される。
【００８７】
第４の提案配色スライド９４０は、紺色で配色された背景を色区域とする第１番目の色区域９４１と、浅葱色で配色された矩形の背景を色区域とする第２番目の色区域９４２と、該色区域９４２を背景に黄金色で「配色支援決定方法のテスト」と記述された文章を色区域とする第３番目の色区域９４３と、前記１番目の色区域９４１を背景に青みのある白色で「○×太郎」と記述された文章を色区域とする第４番目の色区域９４４とから成り、各色区域の色がＲＧＢ表色系により式３０にて示される。
【数１３】
2004102561.tif 000015
【００８８】
具体例２の配色装置８０によれば、前記した具体例１と同様に利用者の嗜好を反映し、かつ調和の取れた提案配色スライドを自動的に作成することができることに加え、仮配色組合せの各色区域の各属性情報に基づいて、背景の色区域に文章の色区域を含むとき、これらの色区域に対応する第３の配色組合せの各色に所定の明度調整を行い、この明度調整が行われた第３の配色組合せの各色に基づいて提案配色スライドを作成することから、本発明の配色装置８０は、文章を示す色区域と背景を示す色区域とにめりはりのあるスライドを作成することができる。
【００８９】
前記した具体例では、属性が背景を示す色区域内に属性が文章を示す色区域が含まれるとき、明度調整を行うことを示したが、これに代えて属性が背景を示す色区域に属性が図表を示す色区域を含むとき、明度調整を行うように明度調整を行う条件を適宜変更することができる。
【００９０】
【発明の効果】
本発明によれば、複数の第１の配色組合せと、それらに対する各評価値とを得て、複数の前記第１の配色組合せの色数から成り、かつ利用者が指定する色で示された仮配色組合せを入力し、該仮配色組合せの各色を組合せた複数の仮配色組合せ体を作成して、該仮配色組合せ体毎に、近似する複数の前記第１の配色組合せを選定した後、この選定した前記各第１の配色組合せの評価値を参照して、評価値の高い前記第１の配色組合せから成る仮配色組合せ体を自動的に選定し、この選定された仮配色組合せ体の各色に基づいて配色領域の各色区域に配色を行うことができる。従って、本発明の配色方法およびその方法を用いた配色装置は、利用者が指定する色に基づいて配色候補を自動的に選定することにより、所望の配色候補を得るまで、配色候補に関連付けられたキーワードの指定を繰返す必要がないことから、配色における作業効率を向上させることができる。
【図面の簡単な説明】
【図１】具体例１における配色装置を示すブロック図である。
【図２】配色装置に備えられた提案配色組合せ作成部を詳細に示すブロック図である。
【図３】提案配色組合せ作成部に備えられた近似第１の配色組合せ選定部を詳細に示すブロック図である。
【図４】配色装置に備えられた評価値取得部を詳細に示すブロック図である。
【図５】評価値取得部に備えられた径数取得部を詳細に示すブロック図である。
【図６】２９組の第１の配色組合せと、それらの評価値とを示す表である。
【図７】ｉ番目の第１の配色組合せを示す図である。
【図８】具体例１の仮配色組合せを示す図である。
【図９】色区域の位置およびサイズを示す図である。
【図１０】仮配色組合せと仮配色組合せ体の関係を示す図である。
【図１１】第３の配色組合せと第４の配色組合せの関係を示す図である。
【図１２】具体例１において、仮配色組合せに基づいて配色装置により作成された第１の提案配色図表である。
【図１３】具体例１において、仮配色組合せに基づいて、配色装置により作成された第２の提案配色図表である。
【図１４】具体例１において、仮配色組合せに基づいて、配色装置により作成された第３の提案配色図表である。
【図１５】具体例１において、仮配色組合せに基づいて、配色装置により作成された第４の提案配色図表である。
【図１６】具体例２における配色装置を示すブロック図である。
【図１７】具体例２の仮配色組合せを示す図である。
【図１８】具体例２において、仮配色組合せに基づいて、配色装置により作成された第１の提案配色スライドである。
【図１９】具体例２において、仮配色組合せに基づいて、配色装置により作成された第２の提案配色スライドである。
【図２０】具体例２において、仮配色組合せに基づいて、配色装置により作成された第３の提案配色スライドである。
【図２１】具体例２において、仮配色組合せに基づいて、配色装置により作成された第４の提案配色スライドである。
【符号の説明】
１０　配色装置
１１　仮配色組合せ入力部
１２　色区域情報取得部
１３　仮配色組合せ体作成格納部
１４　第１の配色組合せ情報格納部
１５　提案配色組合せ作成部
１６　評価値取得部
１７　選定部
１８　色領域配色部
【図１】
2004102561.tif 000016
【図２】
2004102561.tif 000017
【図３】
2004102561.tif 000018
【図４】
2004102561.tif 000019
【図５】
2004102561.tif 000020
【図６】
2004102561.tif 000021
【図７】
2004102561.tif 000022
【図８】
2004102561.tif 000023
【図９】
2004102561.tif 000024
【図１０】
2004102561.tif 000025
【図１１】
2004102561.tif 000026
【図１２】
2004102561.tif 000027
【図１３】
2004102561.tif 000028
【図１４】
2004102561.tif 000029
【図１５】
2004102561.tif 000030
【図１６】
2004102561.tif 000031
【図１７】
2004102561.tif 000032
【図１８】
2004102561.tif 000033
【図１９】
2004102561.tif 000034
【図２０】
2004102561.tif 000035
【図２１】
2004102561.tif 000036